(57)【要約】 【課題】  鋼管内の空気が十分に外気と自然に循環できるようにすることにより、鋼管の内面に錆が生じ難くして、錆により耐用年数が短くなってしまうことの少ない鋼管製鉄塔を安価に提供すること。【解決手段】  鉄塔１０の最上部の主柱材１１の開放端部であるフランジ部１１ａに、屈曲されて下方に開口するＵ字形状の末端材１５のフランジ部１５ａを連結して、主柱材１１内に雨水が降り込むことなく、内外の空気が自然循環可能に、その主柱材１１の内部を外気に開放する。この末端部１５の開放端には、蜂等の侵入を防止するメッシュ１６を取り付けるのが好ましい。【選択図】      図４
2006045952.tif 000002
【特許請求の範囲】
【請求項１】
管状の鋼管を連結して組み上げた鉄塔において、
鋼管の上部の末端部を、該鋼管の内外の空気が自然循環可能に外気に開放することを特徴とする鋼管製鉄塔。
【請求項２】
前記鋼管の開放端部は、該鋼管内に雨水が降り込まない形状に形成されていることを特徴とする請求項１に記載の鋼管製鉄塔。
【請求項３】
前記鋼管の開放端部には、屈曲して下方に開口する鋼管が連結されていることを特徴とする請求項２に記載の鋼管製鉄塔。
【請求項４】
前記鋼管の開放端部には、傘形状部材が連結されていることを特徴とする請求項２に記載の鋼管製鉄塔。
【請求項５】
前記鋼管の開放端部には、蜂等の侵入を防止する手段が設けられていることを特徴とする請求項１から４のいずれかに記載の鋼管製鉄塔。
【請求項６】
前記鋼管の開放端部には、該鋼管内の空気を強制的に入れ替える換気扇が取り付けられていることを特徴とする請求項１から５のいずれかに記載の鋼管製鉄塔。
【請求項７】
送電線を介する商用電力を直接受電することなく、前記換気扇の電力を発電する発電手段を備えることを特徴とする請求項６に記載の鋼管製鉄塔。
【発明の詳細な説明】
【技術分野】
【０００１】
本発明は、鋼管製鉄塔に関し、詳しくは、鋼管製の鉄塔の耐用年数を延長することのできるものに関する。
【背景技術】
【０００２】
従来より、断面が等辺山形鋼により組み上げられた鉄塔の他にも、断面が円形や角形の筒形状に作製された鋼管を連結して組み上げられた鉄塔が知られている（例えば、特許文献１参照）。
【０００３】
この種の鋼管製鉄塔は、大量の雨水が鋼管内に侵入したり、内部で結露した水分が鋼管内に溜まってしまうことを回避する工夫がなされている。例えば、図８（ａ）に示すように、鋼管製の主柱材１１１の開放端となる最上部のフランジ部１１１ａには、閉塞プレート１１２がボルト１１３によりネジ止めされて閉止されている。また、図８（ｂ）に示すように、主柱材１１１の最下部の連結部には、水抜孔１１４ａが形成されている水抜プレート１１４を挟んで内部の水が流出可能に構築されている（例えば、特許文献２参照）。
【０００４】
しかし、この水抜孔１１４ａは主柱材（鋼管）１１１の内容積に対して微小であることから、内外の空気を十分に流通させることはできない。このために、主柱材１１１の内面に結露などが生じても、内部の雰囲気を乾燥状態にすることができずに、主柱材１１１の内面に錆が生じてしまう場合がある。この主柱材１１１の内面の錆は、閉塞プレート１１２を外して内部に照明やカメラなどを挿入しなければ確認することはできず、また、この主柱材１１１の内面を塗装するには、特殊な装置を用いなければならず、いずれもかなりの費用が掛かってしまう。そのために、主柱材１１１内の確認や塗装等を怠っていると、いつの間にか錆が生じていて耐用年数を短くしてしまう恐れがある。このことから、鉄塔の上部に送風機および除湿機を取り付けて、主柱材１１１内に強制的に乾燥空気を圧送することが提案されている（例えば、特許文献３参照）。
【特許文献１】実開平５−８７１６２号公報
【特許文献２】実開平７−１９５３０号公報
【特許文献３】特開２００２−２４２３３２号公報
【発明の開示】
【発明が解決しようとする課題】
【０００５】
そこで、本発明は、鋼管内の空気が十分に外気と自然に循環できるようにすることにより、鋼管の内面に錆が生じ難くして、錆により耐用年数が短くなってしまうことの少ない鋼管製鉄塔を安価に提供することを目的とする。
【課題を解決するための手段】
【０００６】
上記課題を解決する鋼管製鉄塔の第１の発明は、管状の鋼管を連結して組み上げた鉄塔において、鋼管の上部の末端部を、該鋼管の内外の空気が自然循環可能に外気に開放することを特徴とするものである。
【０００７】
この発明では、鉄塔上部で開放可能な末端部の蓋（プレート）が外された状態で、鋼管の内部が外部に開放され、鋼管内の空気が外気と循環される。これにより、鋼管内が雨などにより湿潤状態の雰囲気であっても、晴れて乾燥した外気と自然に循環する。したがって、鋼管の内面は、湿潤状態が維持されることなく乾燥して、錆が発生することが防止される。
【０００８】
上記課題を解決する鋼管製鉄塔の第２の発明は、上記第１の発明の特定事項に加え、前記鋼管の開放端部は、例えば、屈曲して下方に開口する鋼管が連結されて、あるいは、傘形状部材が連結されるなどして、該鋼管内に雨水が降り込まない形状に形成されていることを特徴とするものである。
【０００９】
この発明では、開放されている鉄塔上部の鋼管から雨水がそのまま振り込んでしまうことがなく、大量の水分が鋼管内に溜まって乾燥するまでに時間が掛かってしまうことを回避することができる。したがって、鋼管の内面は、効率よく早期に乾燥して、錆の発生が効果的に防止される。
【００１０】
上記課題を解決する鋼管製鉄塔の第３の発明は、上記第１または第２のいずれかの発明の特定事項に加え、前記鋼管の開放端部には、蜂等の侵入を防止する手段が設けられていることを特徴とするものである。
【００１１】
この発明では、開放されている鉄塔上部の鋼管の端部から蜂等が侵入することを防止することができ、鋼管内に堆積物が溜まってしまうことを回避することができる。したがって、鋼管内の堆積物が湿って錆の発生を促進させてしまうことを効果的に防止することができる。
【００１２】
上記課題を解決する鋼管製鉄塔の第４の発明は、上記第１から第３のいずれかの発明の特定事項に加え、前記鋼管の開放端部には、該鋼管内の空気を強制的に入れ替える換気扇が取り付けられていることを特徴とするものである。
【００１３】
この発明では、鋼管内の空気を換気扇により外部に圧送して、あるいは、外気を鋼管内に圧送して、鋼管の内外の空気を強制的に循環させ換気することができる。したがって、鋼管の内面を、より効率よく早期に乾燥させて、錆の発生を効果的に防止することができる。ここで、前記換気扇は停止時にも空気が流通して自然循環可能な、例えば、プロペラ式の羽根を回転させて空気を圧送するタイプのものが好適である。
【００１４】
上記課題を解決する鋼管製鉄塔の第５の発明は、上記第４の発明の特定事項に加え、送電線を介する商用電力を直接受電することなく、前記換気扇の電力を発電する発電手段を備えることを特徴とするものである。
【００１５】
この発明では、鋼管の内外の空気を循環させる換気扇を商用電力に直接接続することなく、稼動させることができる。したがって、商用電力を引き込むための新規な設備が不要であり、安価に設置することができる。ここで、前記発電手段としては、送電線用の鉄塔の場合にはその送電線から誘導電力を取り出す装置を設置して、また、風力発電や太陽電池を設置するなどすればよい。
【発明の効果】
【００１６】
本発明によれば、鉄塔上部の鋼管の末端部から内外の空気を循環させるので、湿潤雰囲気を解消するように鋼管の内面を乾燥させて錆の発生を防止することができ、錆の生じ難い内面にすることができる。したがって、鋼管の内面の錆により鋼管製鉄塔の耐用年数が短くなってしまうことを極力少なくすることができる。また、これによって、鋼管内面を頻繁に検査や塗装する必要をなくすことができる。
【発明を実施するための最良の形態】
【００１７】
以下、本発明の最良の実施形態を図面に基づいて説明する。図１〜図４は本発明に係る鋼管製鉄塔の第１実施形態を示す図である。
【００１８】
図１および図２において、鉄塔１０は、例えば、送電線などを架設するために、主柱材１１、斜材１２および水平材１３などを組み上げて構築されており、このうちの主柱材１１には円筒形状の鋼管が用いられている。
【００１９】
この鉄塔１０の主柱材１１は、上下の端面が開放された状態の鋼管のまま、その端部に形成されているフランジ形状部をボルト等で接合することにより連結されている。このため、鋼管製の鉄塔１０では、主柱材１１が上下に貫通していることから、その接合部分などから侵入した雨水等が内部に溜まってしまわないように、最下部の主柱材１１のフランジ部間には図３に示す水抜プレート１４が挟まれている。この水抜プレート１４には、外周縁に開口する水抜溝１４ａが形成されており、この水抜溝１４ａが水抜孔として機能して、主柱材１１内に溜まる水を流出させることができ、錆の促進を回避するようになっている。
【００２０】
また、この鉄塔１０の最上部（末端部）の主柱材１１は、図８（ａ）により説明する閉塞プレート１１２が外されて、内部の空気と外気とが循環することができるように外部に開放されている。この主柱材１１の開放端のフランジ部１１ａには、内部に雨水などが降り込まないように、例えば、図４に示すように、主柱材１１と略同様の円筒形状に形成されているとともに、上部がＵ字形状に屈曲して開放端が下方に開口する形状に形成された末端材１５のフランジ部１５ａが不図示のボルトによりネジ止めされて連結されている。さらに、この末端材１５の開放端には、鳥や蜂等の侵入を防止するメッシュ（侵入防止手段）１６が取り付けられている。
【００２１】
これにより、主柱材１１の内外の空気は、末端材１５の開口や水抜プレート１４の水抜溝１４ａを介して自然循環することができる。このため、主柱材１１内が侵入した雨水などにより湿潤状態の雰囲気になっていても、後に晴れて外気が乾燥したときには、その外気が主柱材１１内に流入することにより、湿ったままで錆の発生が促進される状態を維持してしまうことなく乾燥させることができる。また、この主柱材１１の内部に大量の雨水が直接降り込んでしまうこともないことから、その主柱材１１の内面を効率よく早期に乾燥させて錆の発生を効果的に防止することができる。さらに、主柱材１１の内部に末端材１５の開放端から蜂等が侵入することはメッシュ１６により防止されることから、主柱材１１の内部に鳥や蜂等の巣やごみ等の堆積物が溜まって、湿潤状態にする要因となってしまうことを回避することができる。
【００２２】
このように本実施形態においては、鉄塔１０の上部の末端材１５を介して主柱材１１内の空気と外気とを循環させることができ、主柱材１１内の湿潤雰囲気を解消してその内面を乾燥させることができる。したがって、主柱材１１の内面を錆が発生し難くすることができる。この結果、主柱材１１の内面に錆が発生して鉄塔１０の耐用年数を短くしてしまうことを回避することができ、主柱材１１の内面の検査や塗装の回数を極力少なくすることができる。
【００２３】
本実施形態の他の態様としては、末端材１５に代えて、図５に示すように、末端材１７を取り付けても良い。この末端材１７は、主柱材１１と略同様の円筒形状に形成された胴部１７ｂの開放端に傘１７ｃが取り付けられており、その胴部１７ｂには、内外の空気を循環可能にするのと同時に、鳥や蜂等の侵入を防止する寸法に設定されたスリット（侵入防止手段）１７ｄが形成されている。この他の態様によっても、同様の作用効果を得ることができる。
【００２４】
次に、図６および図７は本発明に係る鋼管製鉄塔の第２実施形態を示す図である。なお、本実施形態では、上述実施形態と略同様に構成されているので、同様の構成には同一の符号を付して特徴部分を説明する。
【００２５】
図６および図７において、鉄塔１０の最上部の末端材１５は、換気扇２１を介在させて主柱材１１に連結されており、この換気扇２１としては、プロペラ２１ａを回転させるタイプが採用されている。なお、末端材１５に代えて、末端材１７を連結してもよいことはいうまでもない。
【００２６】
この換気扇２１は、主柱材１１の内部の空気を末端材１５の開放端に向けて圧送するように取り付けられており、独自に備える発電装置（発電手段）２３からの電力供給を受けて、予め設定されているタイミング、例えば、日中の一定時間の間だけプロペラ２１ａを回転（稼動）させるように設計されている。なお、換気扇２１が空気を圧送する方向を逆にしてもよいが、小さな水抜溝１４ａから外部に向かって空気を噴出させることになるので、本実施形態のように設定するのが好ましい。
【００２７】
この発電装置２３としては、例えば、太陽電池装置または風力発電装置を設置すれば良く、または、送電線から誘導起電力を得るようにしても良い。また、この発電装置２３からは、直流電力を交流電力に変換するインバータ２４を介して換気扇２１に電力供給し、発生する電力が少ないときに補充するように余剰電力は蓄電池２５に蓄えるようになっている。ここで、鉄塔１０に航空障害灯が設置されている場合にはその電力を換気扇２１に流用するようにしてもよい。
【００２８】
これにより、主柱材１１の内部の空気が換気扇２１により圧送されて、外気が強制的に流入される。また、換気扇２１は、プロペラタイプであることから、停止時にも主柱材１１と末端材１５との間の空気の流動を妨げることがなく、内部の空気が自然循環して主柱材１１内面の乾燥を促進させることができる。さらに、この換気扇２１は、商用電力に直接接続することなく、稼動させることができることから、設置費用が嵩んでしまうことがない。
【００２９】
ここで、換気扇２１は、電力供給がある限り、常時駆動させるようにしてもよいことはいうまでもなく、また、雨を検知するセンサを取り付けて、雨がやんだ後の一定時間経過後に稼動するように設定してもよい。
【００３０】
このように本実施形態においては、上述実施形態による作用効果に加えて、鉄塔１０の上部の換気扇２１により主柱材１１内の空気と外気とを強制的に循環させて換気することができ、主柱材１１内をより効率よく早期に乾燥させることができる。したがって、主柱材１１の内面は、錆がより発生し難くなり、主柱材１１内面の錆により鉄塔１０の耐用年数が短くなってしまうことを回避することができ、また、主柱材１１の内面の検査や塗装の回数を極力少なくすることができる。
【産業上の利用可能性】
【００３１】
これまで本発明の一実施形態について説明したが、本発明は上述の実施形態に限定されず、その技術的思想の範囲内において種々異なる形態にて実施されてよいことは言うまでもない。例えば、上述実施形態では、円柱形状の鋼管を採用する鉄塔を一例に説明するが、これに限るものではなく、例えば、角筒形状などの管状の鋼管であれば本発明を適用することができることはいうまでもない。また、上述実施形態は、新設の鉄塔１０でも、既設の鉄塔１０にも適用することができることはいうまでもない。
【図面の簡単な説明】
【００３２】
【図１】本発明に係る鋼管製鉄塔の第１実施形態を示す図であり、その鉄塔の概略全体構成を示す構造図である。
【図２】その鉄塔の上部を示す構造図である。
【図３】その鉄塔の主柱材に取り付ける部材を示す図であり、（ａ）はその平面図、（ｂ）はそのＡ−Ａ縦断面図である。
【図４】その鉄塔上部に取り付ける部材の分解斜視である。
【図５】その他の態様を示す図であり、その鉄塔上部に取り付ける部材の分解斜視である。
【図６】本発明に係る鋼管製鉄塔の第２実施形態を示す図であり、その鉄塔上部に取り付ける部材の分解斜視である。
【図７】その電力供給を説明するブロック図である。
【図８】その従来技術を示す図であり、（ａ）はその鉄塔上部の部材を示す斜視図、（ｂ）その鉄塔下部の部材を示す斜視図である。
【符号の説明】
【００３３】
１０    鉄塔
１１    主柱材
１２    斜材
１３    水平材
１４    水抜プレート
１４ａ    水抜溝
１５、１７    末端材
１６    メッシュ
１７ｃ    傘
１７ｄ    スリット
２１    換気扇
２１ａ    プロペラ
２３    発電装置
２４    インバータ
２５    蓄電池
【図１】
2006045952.tif 000003
【図２】
2006045952.tif 000004
【図３】
2006045952.tif 000005
【図４】
2006045952.tif 000006
【図５】
2006045952.tif 000007
【図６】
2006045952.tif 000008
【図７】
2006045952.tif 000009
【図８】
2006045952.tif 000010